(57)【特許請求の範囲】
【請求項１】
被写体像が結像される撮像素子と、撮像スイッチの操作に連動して発光される撮影光源と、該撮影光源を発光させて撮影したときの前記撮像素子上での露光量を解析してその露光量が不適切であると判断した場合に露光補正した上で再撮影を可能にさせる制御手段とを備えていることを特徴とする撮像装置。
【請求項２】
撮像スイッチの操作に連動して発光される撮影光源と、該撮影光源を発光させて撮影したときの露光量を検出する光量検出手段と、該光量検出手段で検出された露光量を解析してその露光量が不適切であると判断された場合に露光補正した上で再撮影を可能にさせる制御手段とを備えていることを特徴とする撮像装置。
【請求項３】
前記制御手段は、露光量が不適切であると判断してから所定時間経過しても再撮影が実行されない場合には露光補正した上での再撮影可能状態を解除することを特徴とする請求項１又は請求項２に記載の撮像装置。
【請求項４】
前記制御手段にて設定された露光補正した上での再撮影可能状態を手動で解除する手動解除手段を備えたことを特徴とする請求項１乃至請求項３の何れかに記載の撮像装置。
【請求項５】
前記制御手段による前記不適切の判断は、前記撮影光源を発光させて撮影したときの露光量を解析してその露光量が予め定められた所定値範囲からはずれているか否かの判断によることを特徴とする請求項１乃至請求項４の何れかに記載の撮像装置。
【請求項６】
前記制御手段によって露光量が不適切であると判断した場合に再撮影が可能となっていることを報知する報知手段を備えていることを特徴とする請求項１乃至請求項５の何れかに記載の撮像装置。
【請求項７】
撮像スイッチの操作によって撮影光源を発光させて撮影すると共に露光検出手段によって露光量を検出し、検出された露光量が不適切である場合には次の撮影の露光量を露光補正された露光量に自動設定することを特徴とする露光補正方法。
【発明の詳細な説明】
【０００１】
【発明の属する技術分野】
本発明は、被写体像を撮影する撮像装置、特に、被写体像に対して補助光を発光させることができる撮像装置及び露光補正方法に関する。
【０００２】
【従来の技術】
従来から、電子撮像装置として、二次元のエリアＣＣＤ等の撮像素子を用いた、所謂デジタルカメラが周知である。
【０００３】
このデジタルカメラの撮像素子は、撮像素子のラチィチュード（ｌａｔｉｔｕｄｅ）即ち、露光の許容範囲が狭いため、キセノン管等を撮影光源とするストロボ発光により撮影することが多い。しかしながら、このようなストロボ発光による撮影であっても、そのストロボ発光にのみ依存した露光制御では困難であることが多いのが実情であった。
【０００４】
そこで、露光が不適切の場合に単にストロボを発光させるのではなく、ストロボを一旦プリ発光させて測光を行い、その測光の結果、露光が不適切の場合には適切な露光量となるように補正を行った上でストロボをメイン発光させ、その発光に同期させて撮影を行う技術が知られている（例えば、特開平４−３３１９３５号公報、特開平９−４３６７１号公報等参照）。この際の補正としては、例えば、特開平９−４３６７１号公報に開示されているように、撮影光源の発光量を測光値に応じた制御やストロボ発光の向きを変えることで行っている。
【０００５】
【発明が解決しようとする課題】
ところで、上記の如く構成された電子撮像装置にあっては、ストロボをプリ発光させてその光量を検出することから、その光量検出のため検出光路を撮影光路とは別に設ける必要がある。
【０００６】
従って、例え、その光路の一部を共用したとしても、撮像レンズから撮像素子に至る撮影光路上にハーフミラー（ダイクロイックミラーでも良い）を配置すると共に、測光用の光量検出素子を設ける必要がある。しかも、撮影光路と検出光路との光路長を補正するために光量検出素子の直前に結像レンズを設ける必要もある。
【０００７】
これにより、電子撮像装置内に光学系全体の配置スペースを大きく確保する必要があり、電子撮像装置が大型化する上、プリ発光に伴う光量検出素子や決像レンズ等の工学部品コストが高騰するという問題が生じていた。
【０００８】
その上、撮影光源をプリ発光させた上で続けてメイン発光させるには、撮影光源を二回続けて発光させるのに必要な蓄電量を確保する必要がある。従って、コンデンサ等に２回分の電力を蓄えられるだけの容量を確保すべく、コンデンサの容積を大きくしなければならない上、乾電池等の容量も大きくしなければならない。
【０００９】
これにより、電子撮像装置内に、電気系全体の配置スペースを大きく確保する必要があり、電子撮像装置が大型化する上、重量が大きく増し、しかも、コンデンサや乾電池等の電子部品コストが高騰するという問題も生じていた。
【００１０】
本発明は、上記問題を解決するためになされたもので、撮影光源の発光に関する消費電力の低減を実現し得るばかりか、安価で且つ軽量化をも実現することができる撮像装置及び露光補正方法を提供することを目的とする。
【００１１】
【課題を解決するための手段】
その目的を達成するため、請求項１に記載の撮像装置は、被写体像が結像される撮像素子と、撮像スイッチの操作に連動して発光される撮影光源と、該撮影光源を発光させて撮影したときの前記撮像素子上での露光量を解析してその露光量が不適切であると判断した場合に露光補正した上で再撮影を可能にさせる制御手段とを備えていることを特徴とする。
【００１２】
また、請求項２に記載の電子撮像装置は、撮像スイッチの操作に連動して発光される撮影光源と、該撮影光源を発光させて撮影したときの露光量を検出する光量検出手段と、該光量検出部で検出された露光量を解析してその露光量が不適切であると判断した場合に露光補正した上で再撮影を可能にさせる制御手段とを備えていることを特徴とする。
【００１３】
また、請求項７に記載の露光補正方法は、撮像スイッチの操作によって撮影光源を発光させて撮影すると共に露光検出手段によって露光量を検出し、検出された露光量が不適切である場合には次の撮影の露光量を露光補正された露光量に自動設定することを特徴とする。
【００１４】
【発明の実施の形態】
以下に、本発明の撮像装置及び露光補正方法をデジタルスチルカメラに適用した一実施の形態を図面に基づいて説明する。
【００１５】
（外観構造）
図１（ａ）、（ｂ）は、本発明によるデジタルスチルカメラ（以下、電子撮像装置と称呼する。）１の外観構造を示すものであり、図１（ａ）は正面側斜視図、（ｂ）は背面図である。図１（ａ）において、電子撮像装置１は金属或いは合成樹脂製のカメラケース２を備えている。
【００１６】
このカメラケース２は、例えば、高さ約４ｃｍ、横幅約５ｃｍ、最小幅（奥行き）約１ｃｍのコンパクトサイズに形成されている。また、図示例では右手操作用となっており、上面右寄りには撮影スイッチとしての二段押しタイプのシャッターボタン３が設けられている。また、カメラケース２のシャッターボタン３の下方周囲（特に前方側）には膨出部２ａが形成されている。この膨出部２ａによって、操作時に手のひら或いは指で電子撮像装置１をしっかりと保持し得る、所謂グリップ性が確保されるもので、膨出部２ａ内部には乾電池等の一次電源（図示せず）の収納が可能となっている。
【００１７】
カメラケース２の正面側には、光学ファインダ系の対物レンズ４と、キセノン管等の撮影用の閃光光源を内蔵したストロボ５と、撮影光学系の撮影レンズ６と、オートフォーカス（ＡＦ）用のＡＦセンサ７と、光量検出（ＡＥ）用のＡＥセンサ８とを備えている
【００１８】
カメラケース２の側面には入出力端子部９が設けられ、パーソナルコンピュータやプリンタ等の接続機器に一端が接続されるＵＳＢ（ユニバーサル・シリアル・バス）ケーブル（共に図示せず）等の他端が接続される。上記入出力端子部９に接続されたケーブルを通じて接続機器に撮影後の画像データを出力したり、接続機器からの画像データ信号の入力等各種データの送受信が可能となっている。。
【００１９】
カメラケース２の背面には、図１（ｂ）に示すように、光学ファインダ系の接眼レンズ１０と、後述する液晶パネル等の表示パネル１１が設けられている。表示パネル１１の下方には、電源のオン・オフを切り替える電源スイッチ１２と、電子撮像装置１の動作モードを、例えば、シャッタースピードや絞り値などの撮影条件を設定入力する設定モード、被写体撮影時の撮影モード、撮影した画像を再生する再生モード、撮影した画像を消去する消去モード、外部機器とデータの授受を行う通信モードなどに切り替えるモード切替スイッチ１３と、ストロボを使用して撮影する様に設定するストロボ撮影強制切換スイッチ１４と、詳細を後述する再撮影モードになったとき、このモードを強制的に解除する再撮影モード強制解除スイッチ１５とが設けられている。
【００２０】
又、表示パネル１１の上方には、電源スイッチ１２の操作によって電源が投入（オン）された際に点灯表示する電源オンオフ報知ランプ１６と、電池寿命が近づいたことを点灯表示で知らせる電池寿命報知ランプ１７と、ストロボを使用して撮影するモードに設定されていることを知らせるストロボ撮影報知ランプ１８と、後述する再撮影モードになっていることを点灯表示で知らせる再撮影モード報知ランプ１９とが備えられている。これらの各報知ランプ１６乃至１９はＥＬ表示体或いはＬＥＤ表示体が使用されている
【００２１】
表示パネル１１には、日付、時刻等の時計情報の外、撮影枚数（残数でも良い）、シャタースピード等の撮影条件等が表示される。又、この実施の形態では、撮影する（或いは撮影された）画像を表示するモニター表示装置は設けてないが、カラー液晶表示装置などのモニター表示装置を設けて撮影された画像を表示するようにしても良い。
【００２２】
各報知ランプ１６乃至１９はＥＬ表示体或いはＬＥＤ表示体が使用されているが、各ランプの内容を表示パネル１１にドット表示体を設けて表示することでこれらランプ１６乃至１９を廃止しても良い。また、前述したごとくモード切替スイッチ１３の操作によって設定モード、撮影モード、再生モード等予め設定されたモード切り替えられるが、これらのモードを表示パネル１１に表示させたり、これらのモードに対応した報知ランプを設けたりしても良い。
【００２３】
（回路構成）
図２は、電子撮像装置１の内部に設けられた電子回路のブロック回路構成を示す。図２において、２０は撮影レンズ６等を透過した被写体像が結像される二次元のエリアＣＣＤ等の撮像素子である。この撮像素子２０と撮像レンズ６との間には絞り機構２１が設けられており、撮影レンズ６の移動及び絞り機構２１の絞り量は後述する光学系駆動回路２９によって制御される様になっている
【００２４】
撮像素子２０に結像された被写体像の像データは、順次自動利得制御回路２２を経由してＡ／Ｄ（アナログ／デジタル）変換器２３に送られてデジタル信号に変換され、更に、信号処理部２４に送られて画像データに変換された後、制御部２５に入力される。
【００２５】
制御部２５は、内部に図示しない各種プログラムを備え、このプログラムに従って、制御部２５に接続された各部及び全体の動作を制御するものであり、ＣＰＵ（中央処理ユニット）から構成されている。然して制御部２５に入力された信号処理部２４からの画像データはＲＡＭ或いはフラッシュＲＯＭなどから構成され主メモリ画像メモリ２６の各番地に格納される。
【００２６】
画像メモリ２６に記憶された画像データは、入出力端子９にケーブル接続されたパーソナルコンピュータやプリンタ等の接続機器側からの操作によってビットマップ形式（ＢＭＰ）、ＧＩＦ形式、ＪＰＥＧ形式等で入出力端子９から出力される。尚、上記出力形式は電子撮像装置１自身に設定して決める様にしても、或いは接続機器に設定して決める様にしてもよい。
【００２７】
一方、制御部２５には、シャッターボタン３及び各種スイッチ１２〜１５からの各出力信号、ＡＦセンサ７からの距離データ、ＡＥセンサ８からの光量検出データが入力される他、表示パネル１１での時計表示のための時計回路２７からの時間データが入力される。
【００２８】
さらに、制御部２５は、シャッターボタン３及び各種スイッチ１２〜１５からの各出力信号、ＡＦセンサ７からの距離検出の為のデータ、ＡＥセンサ８からの光量検出の為のデータの入力に基づいて、前述した光学系駆動回路２９、ＣＣＤ駆動制御回路３０、ストロボ駆動制御回路３１に駆動信号を出力する。
【００２９】
光学系駆動回路２９は、詳細は図示してないが、ＡＦセンサ７からの距離データに基づき撮像レンズ６を光軸方向に沿て変位させてオートフォーカスさせるＡＦ駆動回路と、ＡＥセンサ８からの光量検出データの入力に基づいて絞り機構２１の絞り量を制御し撮像素子２０へ送られる光量（露光量）を制御するＡＦ制御回路を有する。然して、これらの制御回路が撮影レンズ６、絞り機構２１を動作させるモータやソレノイド等を駆動させる様に構成されている。
【００３０】
ＣＣＤ駆動制御回路３０は、シャッターボタン３の操作に連動させて撮像素子２０に被写体像を静止画像として取り込む為の制御信号及び取り込まれた静止画像の像データを順次出力させるための制御信号を撮像素子２０に供給する。
【００３１】
ストロボ駆動制御回路３１は、ＡＥセンサ８の光量検出に基づいて制御部２５がストロボ発光が必要であると判断した場合にストロボ５を発光させるための駆動回路であり、図示していないが一次電源からの電源供給によって撮影光源の発光に必要な電力を蓄電するコンデンサ等を備えている。
【００３２】
制御部２５に接続されている制御データメモリ２８は、この電子撮像装置１の各種動作を制御する為の各種データを記憶するもので、例えば、ＲＡＭなどから構成されている。図３は、制御データメモリ２８の詳細な記憶領域の構成を示している。然して、ＡＦデータ格納部３２は、撮影時にＡＦセンサ７等によって測定された被写体までの距離データを記憶するもので、制御部２５は、このＡＦデータ格納部３２に格納された距離データに基づき、光学系駆動回路２９を介して撮像レンズ６を移動させ、焦点合わせを行わせるものである。
【００３３】
ＡＥデータ格納部３３は、撮影時にＡＥセンサ８等で測定した周囲の明るさのデータを記憶するもので、制御部２５は、このＡＥデータ格納部３３に格納された明るさ（明度）データに基づき、光学系駆動回路２９を介して絞り機構２１を駆動して絞りを制御する。
【００３４】
ＳＰデータ格納部３４は、前述した設定モードにおいて設定されるシャッタースピードデータが格納するもので、制御部２５は、このＳＰデータ格納部３４に格納されたシャッタースピードで被写体像を撮像素子２０に取り込むようにＣＣＤ駆動制御回路３０に制御信号を送出するものである。
【００３５】
ＭＡデータ格納部３５は、撮影し且つ画像メモリ２６に記憶した画像データの枚数データが記憶されるもので、制御部２５は、撮影がなされると、このＭＡデータ格納部３５に格納されている枚数データが示す画像メモリ２６の領域アドレスの次の領域アドレスを指定して、その領域に撮影した画像データを記憶させ更新且つ枚数データを更新（＋１）するものである。
【００３６】
モードフラグメモリ部３６は、モード切替スイッチ１３の操作によって設定されるモードフラグデータＭ０を記憶するもので、例えば、撮影モードの時にはＭ０フラグは『０』、画像メモリ２６から画像データを読み出すための再生モードの時にはＭ０フラグは『１』、画像メモリ２６に記憶された画像データを消去する消去モードの時にはＭ０フラグは『２』、……を夫々記憶する。
【００３７】
ストロボ撮影フラグメモリ部３７は、ストロボ撮影強制切換スイッチの操作によってストロボ発光させない撮影に設定された場合にはＦ０フラグに『０』、ストロボ発光させる様に設定された時にはＦ０フラグに『１』を夫々記憶する。
【００３８】
再撮影フラグメモリ部３８は、ストロボ撮影時に露光が適切であった場合にＦ１フラグに『０』、ストロボ撮影時に露光が不適切であった場合で、露光制御を行って再度撮影を可能とさせる際にＦ１フラグに『１』を夫々記憶する。
【００３９】
また、タイマーＴ０格納部３９は、タイマー時間を記憶するもので、このタイマー時間は、シャッターボタン３の一段押し（半押し）が検出されたとき時間計測がスタートし、シャッターボタン３の二段押し（全押し）が検出されるまでの時間を測定するが、予め定められた時間が経過しても全押しが検出されなかった際には、後述する予め定められた処理を実行する。
【００４０】
更に、タイマーＴ１格納部４０は、再撮影モードになってからのタイマー時間をカウントするもので、所定時間経過しても再撮影が行われないときには再撮影モードをキャンセルさせる処理を行わせるものである。
【００４１】
（露光補正の内容）
ここで、本実施の形態による露光量制御の内容を簡単に説明する。
【００４２】
例えば、ストロボ５の発光量を一定とした場合、被写体から反射して撮像レンズ６を透過して撮像素子２０に結像された被写体像の光量は、被写体までの距離の二乗に反比例する。この場合、被写体が近すぎているときにストロボ撮影を行うと、露光量が多すぎてしまい、撮影画像が白く飛んでしまうことも起こり得る。
【００４３】
そこで、このような被写体が近い場合には、一旦撮影を実行してしてその露光量を解析し、適正範囲内の露光量である場合にはそのままその撮影を完了とし、適正範囲外の露光量である場合には適正露光となるように自動的に露光補正し、シャッターボタン３を操作するだけで補正された露光量で再度の撮影を可能とする（この状態を再撮影モードと称呼している。）。尚、この再度の撮影を行うか否かは撮影者の自由であるので、再撮影モードでは、露光補正した状態での撮影が可能とさえなっていれば良い。
【００４４】
尚、この再撮影モードにおいては、新たな、全く別の被写体を撮影することも考えうるので、再撮影モードであることを報知して撮影者に認識させると共に、所定時間経過した場合には再撮影モードを自動解除するようになっており、又、撮影者が再撮影モード強制解除スイッチ１５を設け、このスイッチ１５を操作すると強制的に再撮影モードが解除される様に構成されている。
【００４５】
（制御部２５による具体的な露光補正）
次に、図４及び図５のフローチャートに基づいて、外部の被写体像を撮影する際の制御部２５による具体的な露光補正処理を説明する。
【００４６】
図４のステップＳ１は、シャッターボタン３が半押しされたか否かを判断（検出）する処理で、半押しされたと判断された場合にはステップ２へと移行し、半押しが検出されていない場合にはステップＳ３へと移行する。
【００４７】
ステップＳ３では、制御データメモリ２８のストロボ撮影フラグメモリ部３７にＦ０フラグとして『１』が記憶されているか否かが判断され、フラグ『１』が記憶されておらずフラグが『０』であった場合にはステップＳ１に戻り、フラグ『１』が記憶されていた場合にはステップＳ４へと移行する。即ち、このステップＳ３は、ストロボを発光させて撮影を行うストロボ撮影モードが設定されているか否かを検出するもので、Ｆ０フラグとして『１』が記憶されている場合にはストロボ撮影モードが設定されていると判断してステップＳ４に移行し、ストロボ駆動制御回路３１のコンデンサに蓄電を開始してステップＳ５へと移行するものである。
【００４８】
ステップＳ５では、制御データメモリ２８の再撮影フラグメモリ部３８にＦ１フラグ『１』が記憶されているか否かが判断され、記憶されているフラグが『０』の場合には再撮影モードでないことからステップＳ１へと戻され、Ｆ１フラグが『１』の場合には再撮影モードに設定されているとしてステップＳ６へと移行する。
【００４９】
然して、現時点（最初の撮影時）では、まだ、再撮影モードが設定されていないのでステップＳ６には進まず、ステップＳ１に戻るもので、ステップＳ６以降に関しては後述する。
【００５０】
然して、シャッターボタン３が操作され半押しされるまでは、ステップＳ１乃至ステップＳ５の処理が繰り返されており、シャッタースイッチ３の半押しがステップＳ１で検出されると、ステップＳ２に進む。ステップＳ２では、タイマーＴ０格納部３９による時間計測（経過時間のカウント）を開始させるもので、ステップＳ２でカウントが開始されると次のステップＳ８へと移行する。
【００５１】
ステップＳ８では、制御データメモリ２８の再撮影フラグメモリ部３８にＦ１フラグとして『０』が記憶されているか否か、即ち再撮影モードになっているか否かが判断される。Ｆ１フラグが『０』でなく、『１』となっている場合には、ステップＳ９の補正処理（これについては後述する）に進むが、現時点では再撮影モードに設定されていないので、Ｆ１フラグは『０』であることが判断され、ステップＳ１０に進む。
【００５２】
ステップＳ１０では、ＡＦセンサ７で検出された被写体までの距離データをＡＦデータ格納部３２に格納すると共に、このデータに基づいて光学系駆動回路２９を制御して撮影レンズ６を移動させオートフォーカス処理を行ってステップＳ１１へと移行する。
【００５３】
このステップＳ１１では、ＡＥセンサ８で検出した周囲の明るさの明度データをＡＥデータ格納部３３に格納し、この明度データとＳＰデータ格納部３４に記憶されているシャッタースピードデータとから絞り量を決定し、光学系駆動回路２９を制御して絞り機構２１による絞り量を設定する。
【００５４】
次のステップ１２は、制御データメモリ２８のストロボ撮影フラグメモリ部３７にＦ０フラグとして『１』が記憶されているか否かを判断するもので、フラグ『１』の場合には、ストロボを発光させて撮影するモードであるとしてステップＳ１３へと移行され、フラグ『０』の場合にはストロボ撮影ではないとしてステップＳ１４へと移行する。
【００５５】
ステップＳ１３は、ステップＳ１１でストロボ撮影でないことを前提として絞り量を設定したことから、これを、ストロボ撮影を前提とした絞り量及びシャッター速度に再設定するもので、即ち、光学系駆動回路２９を制御して絞り機構２１による絞り量を再設定すると共に、ＳＰデータ格納部３４に記憶されているシャッタースピードデータもストロボ撮影に適したデータに変更する。
【００５６】
ステップＳ１４は、シャッターボタン３が全押しされたか否かを判断（検出）する処理であり、シャッタボタン３の全押しが検出された場合にはステップＳ１５へと移行するが、検出するまでは、ステップＳ１６に進んで、ステップＳ２で計測スタートが行われたタイマーＴ０が予め定められた所定時間を超えたか否か、即ち、タイムアップか否かを判断する。タイムアップしていない場合にはステップＳ１４へと戻されてシャッターボタン３の全押しを引き続き監視し、タイムアップした場合にはステップ１７へと移行する。
【００５７】
ステップＳ１７への移行は、通常撮影モード或いは再撮影モードのいずれであるとに拘らず、一旦シャッターボタン３が半押しされた後、所定時間経過してもシャッターボタン３が全押しされなかった状態の時であり、このような状態の場合には、半押し後、撮影を中止したものとして、すべての処理動作を解除（キャンセル）してステップＳ１へと戻る。
【００５８】
然して、ステップＳ１４でシャッターボタン３の全押しが検出されると図５のステップＳ１５に進む。ステップＳ１５は、制御データメモリ２８のストロボ撮影フラグメモリ３７にＦ０フラグとして『０』が記憶されているか否か、即ち、ストロボ撮影モードでないか或いはストロボ撮影であるか（この場合はＦ０フラグは『１』）が判断され、フラグ『０』の場合にはストロボ撮影でないことからステップＳ１６へと移行され、フラグ『１』の場合にはストロボ撮影であることからステップＳ１７へと移行する。
【００５９】
ステップＳ１６では、撮像素子２２への被写体像の写し込みを行い、次のステップＳ１８へと移行する。
【００６０】
ステップＳ１８では、移し込まれた被写体像を撮像素子２２でから読み出してデジタル画像データに変換し、画像メモリ２６に記憶させるもので、ストロボを使用しない撮影の場合はこれで撮影が完了する。
【００６１】
一方、ストロボ撮影モードにおいては、ステップＳ１７で、ストロボ５を発光させると同時に撮像素子２２への被写体像の写し込みが行われ、その後にステップＳ１９へと移行する
【００６２】
ステップＳ１９では、撮像素子２２で移し込んでデジタル画像データとされた状態の画像データを画像メモリ２６に記憶し、更に次のステップＳ２０へと移行する。
【００６３】
ステップＳ２０では、撮像素子２２に移しこまれた被写体像の画像データから、その画像データの光量データを解析し、予め定められた適正範囲の光量データでの写し込みであるか否かが判断され、適正の場合には撮影を終了し、不適正の場合にはステップＳ２１へと移行する。この場合、上記予め定められて適正範囲としては、予め定められた規格（解像度）の表示装置に表示させたときの表示状態や、予め定められた印刷規格（解像度）のプリンタでカラー印刷したときの印刷状態などに鑑みて適正範囲を製造メーカが予め決定しておけばよいが、例えば、ユーザーがスイッチ操作で設定出来る様にしておいてもよい。
【００６４】
然して、ステップＳ２１では、撮影された被写体像が適正露光で撮影されなかったことを使用者に認識させるために再撮影モード報知ランプ１９を点灯させた後、ステップＳ２２へと移行する。
【００６５】
ステップＳ２２では、再撮影フラグメモリ３８のＦ１フラグを『１』として再撮影モードにモード切替を行ってステップＳ２３へと移行する。
【００６６】
ステップＳ２３では、タイマーＴ１格納部４０による時間計測の計時カウントを開始させてステップＳ１へと戻り、以下、再撮影モードでのルーチンを行う。
【００６７】
再撮影モードにおいては、シャッターボタン３を操作して再撮影する際に、ステップＳ１でシャッターボタン３の半押しが検出されるまで、ステップ１からステップＳ３、Ｓ４、と順次処理が実行され、ステップＳ５で再撮影フラグメモリ３８のＦ１フラグが『１』であることが検出され、次のステップＳ６に進む。
【００６８】
ステップＳ６では、ステップＳ２３でカウント開始されたタイマーＴ１格納部４０のカウントが予め定められた所定時間をタイムアップしたか否かが判断され、タイムアップした場合にはステップＳ７へと移行され、タイムアップしていない場合にはステップＳ１へと戻り、以下、ステップ１でシャッターボタン３が半押しされるかステップＳ６でタイムアップが検出されるまで、ステップ１〜ステップ７を繰り返す。
【００６９】
ステップ７では、再撮影モードが設定されたにもかかわらず、所定時間経過しても再撮影が実行されなかった判断して、再撮影モードの解除、蓄電の終了、再撮影モード報知ランプ１９の消灯など、各部を通常撮影が出来る初期状態に戻す処理を行い、ステップＳ１に戻る。
【００７０】
一方、再撮影モードで所定時間内にシャッターボタン３の半押しが検出された際にはステップＳ１からステップＳ２に進み、タイマーとがスタートされた後、ステップＳ８で再撮影モードか否かが判断され、今度は再撮影モードに設定されているので、ステップＳ８からステップＳ９に進む。
【００７１】
ステップＳ９は、絞り機構２１による絞り量を、ステップＳ１７で写し込まれた被写体像の光量に応じて補正するもので、  即ちステップＳ１７で写し込まれた被写体像の画像データの光量データは、ステップＳ２０でどの程度の光量データであるかが検出され、且つその光量データが適正範囲の光量データでの写し込みであるか否かが判断されるので、このステップＳ２０で検出された光量データを元に、絞り機構２１による絞り量を制御して、今度は適正範囲の光量となるように補正するものである。
【００７２】
この補正がなされた後はステップＳ１４に進み、シャッターボタン３の全押しが検出されるとステップＳ１４からステップＳ１５、Ｓ１９と進んで被写体画像の写し込み、写し込んだ画像の記憶を行ったあと、ステップＳ２０で適正範囲の光量だったか否かが判断され、今度は、適正範囲の光量となっているはずなのでそのまま終了する。もし、再撮影モードになってから被写体像の明度が変化した場合には、今度も光量データが適正範囲外となることもあり、この場合には、再度ステップＳ２１に進むものである。
【００７３】
このように、上記実施の形態では、ストロボなどの撮影光源を発光させて撮影したときの前記撮像素子上での露光量を解析してその露光量が不適切であると判断した場合に、解析結果から自動的に適正範囲となるように露光補正した上で再撮影を可能にさせる様にしたので確実に良好な撮影を行えるものである。
【００７４】
尚、上記タイマーＴ０、Ｔ１のタイムアップ時間については具体的に説明しなかったが、例えば、タイマーＴ０は１秒から５秒くらいの間の任意の時間、タイマーＴ１は５秒から１０秒くらいの間の任意の時間が望ましいが、勿論これ以外の時間であってもよい。又、タイマーＴ１のタイムアップ時間を長く取ると、再撮影モードとなっている時間が長くなり、再撮影でない撮影をしたいときの妨げとなるので、本実施の形態では、再撮影モード強制解除スイッチ１５を設け、このスイッチ１５の操作によって、ステップＳ７と同様の全解除処理が実行されるように構成されている
【００７５】
又、上記実施の形態では、ＣＣＤなどの撮像素子に被写体像を写し込む例について述べたが、撮像素子はＣＣＤでなくてもよく、ＭＯＳタイプの撮像素子であってもよい。又、最初の撮影時の被写体像の光量から再撮影モードの絞り量を決定したが、銀塩フィルムなどに被写体像を写し込む撮像装置にあっては、最初のストロボ撮影時の光量をＡＥセンサなどで測定し、その測定値が適正範囲外の時、本実施の形態で述べたような再撮影モードに移行させるようにすればよい。
【００７６】
【発明の効果】
以上説明したように、本発明によれば、撮影光源の発光に関する消費電力の低減を実現し得るばかりか、安価で且つ軽量化した撮像装置を実現することができる。
【図面の簡単な説明】
【図１】本発明の実施の形態に係わる電子撮像装置を示し、（ａ）は電子撮像装置の正面方向の斜視図、（ｂ）は電子撮像装置の背面図である。
【図２】同じく、電子撮像装置のブロック回路図である。
【図３】図２の制御データメモリ２８の詳細な構成図ある。
【図４】図２の制御部２５の処理ルーチンの前半のフローチャート図である。
【図５】同じく、制御部処理ルーチンの後半のフローチャート図である。
【符号の説明】
１ 電子撮像装置
３ シャッターボタン（撮影スイッチ）
５ ストロボ（撮影光源）
２１ 絞り機構
２５ 制御部
【図１】
0004168600.tif 000002
【図２】
0004168600.tif 000003
【図３】
0004168600.tif 000004
【図４】
0004168600.tif 000005
【図５】
0004168600.tif 000006